(57)【要約】      （修正有）【課題】ペットを運搬する際の利便性に優れるのみならず、ペットをそのまま長時間入れたままにしてもペットに過度のストレスを与えることのないペット用ケージとしても用いることができるペット用キャリーケースを提供する。【解決手段】ペット収容部２を構成する床１１，２１、壁１２，２２，２３及び天井を備えたペット用キャリーケース１であって、前記床１１，２１及び少なくとも１つの壁１２，２２を伸縮可能とする。これにより、前記ペット収容部２内にペットを入れたままの状態であっても、前記ペット収容部２を適宜拡張したり縮小したりすることができる。【選択図】図１
0003168151.tif 000002
【実用新案登録請求の範囲】
【請求項１】
ペット収容部を構成する床、壁及び天井を備えたペット用キャリーケースであって、
前記床及び少なくとも１つの壁を伸縮可能とすることで、前記ペット収容部内にペットを入れたままの状態であっても、前記ペット収容部を適宜拡張したり縮小したりすることができるようにしたことを特徴とするペット用キャリーケース。
【請求項２】
伸縮可能な床及び壁は、ペット収容部の縮小状態において二重となっているパネル状の床及び壁をスライドさせることでペット収容部を拡張することができるものであることを特徴とする請求項１に記載のペット用キャリーケース。
【請求項３】
ペット収容部は、床と、３方を囲む壁と、天井とを備えたメインケースと、当該メインケースに床及び少なくとも１つの壁が重ねられた状態で取り付けられたスライド式ケースとから構成されていることを特徴とする請求項２に記載のペット用キャリーケース。
【請求項４】
スライド式ケースは、メインケースに床及び壁が重ねられた状態を維持したり解除するためのスライドロックを備えていることを特徴とする請求項３に記載のペット用キャリーケース。
【請求項５】
スライド式ケースは、メインケースに床及び平行に向かい合った２つの壁が重ねられた状態で取り付けられていることを特徴とする請求項３又は４に記載のペット用キャリーケース。
【請求項６】
スライド式ケースは、メインケースに床、平行に向かい合った２つの壁及び天井が重ねられた状態で取り付けられており、当該スライド式ケース又はメインケースの天井が開閉可能となっていることを特徴とする請求項３又は４に記載のペット用キャリーケース。
【請求項７】
メインケースは、その上部にペット用品などを収納するための収納エリアを備えていることを特徴とする請求項３〜６のいずれか１項に記載のペット用キャリーケース。
【請求項８】
床下にキャスターを備えたことを特徴とする請求項１〜７のいずれか１項に記載のペット用キャリーケース。
【請求項９】
上下方向に伸縮する取手をさらに備えたことを特徴とする請求項１〜８のいずれか１項に記載のペット用キャリーケース。
【請求項１０】
床下のキャスターと、上下方向に伸縮する取手とを一体化した運搬用パーツを着脱可能としたことを特徴とする請求項１〜７のいずれか１項に記載のペット用キャリーケース。
【請求項１１】
床下のキャスターを備えた底部枠体に対し、上下方向に伸縮する取手を折り畳み回動可能に取着することで、床下のキャスターと、上下方向に伸縮する取手とを一体化した運搬用パーツを構成し、当該運搬用パーツを着脱可能としたことを特徴とする請求項１〜７のいずれか１項に記載のペット用キャリーケース。
【考案の詳細な説明】
【技術分野】
【０００１】
本考案は、犬や猫などのペットを運搬する際に使用するペット用キャリーケースに関するものであり、より詳細には、ペットの収容空間を拡大することでペット用ケージとしても使用可能なペット用キャリーケースに関するものである。
【背景技術】
【０００２】
従来、犬や猫などのペットを運搬する際に使用するペット用キャリーケースとしては、全体を持ち運ぶための把手又はハンドルと、ペットの収容空間を開閉するための蓋又は扉とを備えたもの（特許文献１、特許文献２）が提案されている。
なお、特許文献２に記載のペット用キャリーケース（折畳式ペットキャリーボックス）は、その不使用時において全体を小さく折り畳んで保管したり持ち運ぶことができるようにしたものであり、折り畳んだ状態でペットを収容することができるものではない。
【０００３】
しかし、これら従来のペット用キャリーケースは、ペットを入れた状態で運搬する際に便利なようにコンパクトな形態となっており、ペットが身動きできる空間がかなり狭いため、ペットを長時間キャリーケース内に入れたままにすると、ペットに過度のストレスを与えてしまうという欠点があった。
【０００４】
したがって、ペットに気を配る飼い主が、従来のペット用キャリーケースにてペットを運搬した場合には、運搬先でペットをキャリーケースから出して運搬先に迷惑をかけてしまうといった問題や、ペットを長時間収容できる広さを備えたペット用ケージを別途運搬先にて用意する必要があるという問題があった。
【０００５】
即ち、従来のペット用キャリーケースにおいては、ペットを運搬する際の利便性や、ペットを運搬し終えた後などにおける不使用時の保管の利便性については考慮しているものの、ペットを運搬する前後においてペットをそのまま長時間入れたままにする必要がある場合のことを何ら考慮していないという問題があった。
【先行技術文献】
【特許文献】
【０００６】
【特許文献１】実開平６−２３４３８号公報
【特許文献２】特開２００２−１５９２３６号公報
【考案の概要】
【考案が解決しようとする課題】
【０００７】
そこで、本考案が解決しようとする課題は、従来のペット用キャリーケースにおいてはペットを運搬する前後においてペットをそのまま長時間入れたままにする必要がある場合のことを考慮していないことであり、本考案の目的は、ペットを運搬する際の利便性に優れるのみならず、ペットを運搬する前後においてペットをそのまま長時間入れたままにしてもペットに過度のストレスを与えることのないペット用ケージとしても用いることができるペット用キャリーケースを提供することにある。
【０００８】
また、本考案の他の目的は、ペット用キャリーケース内にペットを入れたままの状態であっても、そのペットの収容空間を適宜拡張したり縮小したりすることができるペット用キャリーケースを提供することにある。
さらに、本考案の他の目的は、ペットを入れたままの状態であっても移動や持ち運びに便利なペット用キャリーケースを提供することにある。
【課題を解決するための手段】
【０００９】
上記課題を解決するため、請求項１に記載のペット用キャリーケースは、ペット収容部を構成する床、壁及び天井を備えたペット用キャリーケースであって、前記床及び少なくとも１つの壁を伸縮可能とすることで、前記ペット収容部内にペットを入れたままの状態であっても、前記ペット収容部を適宜拡張したり縮小したりすることができるようにしたことに特徴を有する。したがって、ペット用キャリーケースにペットを入れて運搬する際には床及び少なくとも１つの壁を縮めることでペット収容部を縮小状態とすることができ、ペットを運搬する前後においては前記床及び少なくとも１つの壁を伸ばすことでペット収容部を拡張状態とすることができる。
なお、本考案における「天井」は、ペットを出し入れするためにペット用キャリーケースの上部に設けられる「蓋」、「カバー」又は「扉」を含む概念である。
【００１０】
また、請求項２に記載の考案は、請求項１に記載の考案において、伸縮可能な床及び壁は、ペット収容部の縮小状態において二重となっているパネル状の床及び壁をスライドさせることでペット収容部を拡張することができるものであることに特徴を有する。
【００１１】
請求項３に記載の考案は、請求項２に記載の考案において、ペット収容部は、床と、３方を囲む壁と、天井とを備えたメインケースと、当該メインケースに床及び少なくとも１つの壁が重ねられた状態で取り付けられたスライド式ケースとから構成されていることに特徴を有する。
【００１２】
請求項４に記載の考案は、請求項３に記載の考案において、スライド式ケースは、メインケースに床及び壁が重ねられた状態を維持したり解除するためのスライドロックを備えていることに特徴を有する。
【００１３】
また、請求項５に記載の考案は、請求項３又は４に記載の考案において、スライド式ケースは、メインケースに床及び平行に向かい合った２つの壁が重ねられた状態で取り付けられていることに特徴を有する。
【００１４】
請求項６に記載の考案は、請求項３又は４に記載の考案において、スライド式ケースは、メインケースに床、平行に向かい合った２つの壁及び天井が重ねられた状態で取り付けられており、当該スライド式ケース又はメインケースの天井が開閉可能となっていることに特徴を有する。
【００１５】
請求項７に記載の考案は、請求項３〜６のいずれか１項に記載の考案において、メインケースは、その上部にペット用品などを収納するための収納エリアを備えていることに特徴を有する。
【００１６】
請求項８に記載の考案は、請求項１〜７のいずれか１項に記載の考案において、床下にキャスターを備えていることに特徴を有する。
【００１７】
請求項９に記載の考案は、請求項１〜８のいずれか１項に記載の考案において、上下方向に伸縮する取手をさらに備えていることに特徴を有する。
【００１８】
請求項１０に記載の考案は、請求項１〜７のいずれか１項に記載の考案において、床下のキャスターと、上下方向に伸縮する取手とを一体化した運搬用パーツを着脱可能としたことに特徴を有する。
【００１９】
請求項１１に記載の考案は、請求項１〜７のいずれか１項に記載の考案において、床下のキャスターを備えた底部枠体に対し、上下方向に伸縮する取手を折り畳み回動可能に取着することで、床下のキャスターと、上下方向に伸縮する取手とを一体化した運搬用パーツを構成し、当該運搬用パーツを着脱可能としたことに特徴を有する。
【考案の効果】
【００２０】
請求項１に記載の考案により、ペットを運搬する際の利便性に優れるのみならず、ペットを運搬する前後においてペットをそのまま長時間入れたままにしてもペットに過度のストレスを与えることのないペット用ケージとしても用いることができるペット用キャリーケースを提供することができる。
【００２１】
請求項２に記載の考案により、このペット用キャリーケースは堅牢であって、ペットの安全な収容及び運搬に適しており、しかもペット収容部を簡単かつ迅速に適宜拡張したり縮小したりすることができる。
【００２２】
請求項３に記載の考案により、このペット用キャリーケースは、メインケースとスライド式ケースとの組み合わせによりペット収容部を効率よく適宜拡張したり縮小したりすることができる。
【００２３】
請求項４に記載の考案により、スライド式ケースが不用意にメインケースからスライドすることがなく、ペット収容部を拡張させたい場合にのみスライド式ケースを安全にスライドさせることができる。
【００２４】
請求項５に記載の考案により、このペット用キャリーケースは、メインケースからスライド式ケースを平行にスライドさせることでペット収容部を約２倍程度まで効率よく拡張したり縮小したりすることができる。
【００２５】
請求項６に記載の考案により、このペット用キャリーケースは、メインケースからスライド式ケースをスライドさせた場合においても拡張したペット収容部に天井が形成され、さらにスライドケース又はメインケースの天井からペットを出し入れすることができ、実用上大変便利である。
【００２６】
請求項７に記載の考案により、収納エリア内にペット用品などを収納した状態でペットとともに効率よく運搬することができ、ペットの管理上大変便利である。
【００２７】
請求項８に記載の考案により、収納エリア内にペットを収納したままの状態であっても床下のキャスターを用いてペット用キャリーケースを容易に移動したり運搬することができる。
【００２８】
請求項９に記載の考案により、取手を長く伸ばすことで、しゃがむことなくペット用キャリーケースを持ち上げたり移動させることが可能となり、特にキャスターを用いてペット用キャリーケースを運搬する際に便利である。また、取手を短く縮小することで、運搬時以外において取手が邪魔になることが防止される。
【００２９】
請求項１０に記載の考案により、ペット用キャリーケースの運搬時においては、キャスターと伸縮する取手とを備えた運搬用パーツをペット用キャリーケースに装着することで運搬に便利なペット用キャリーケースとすることができる。
【００３０】
請求項１１に記載の考案により、キャスターと伸縮する取手とを備えた運搬用パーツをペット用キャリーケースに装着することで運搬に便利なペット用キャリーケースとすることができるばかりか、運搬用パーツの不使用時においては、ペット用キャリーケースから運搬用パーツを取り外し、さらに伸縮する取手を短く縮小してから折り畳むことで、運搬用パーツを保管に便利な形態とすることができる。
【図面の簡単な説明】
【００３１】
【図１】図１は本考案のペット用キャリーケースのペット収容部を拡張した状態を示す斜視図である。
【図２】図２は本考案のペット用キャリーケースのペット収容部を縮小した状態を示す斜視図である。
【図３】図３は本考案のペット用キャリーケースのトップカバー及びスライド天板などを外した内部構造を示す平面図である。
【図４】図４は本考案のペット用キャリーケースの収納エリアの内部を示す斜視図である。
【図５】図５は本考案のペット用キャリーケースの正面扉を開いた状態を示す斜視図である。
【図６】図６は本考案のペット用キャリーケースのスライド天板を開いた状態を示す斜視図である。
【図７】図７は本考案のペット用キャリーケースのガイドローラを示す部分拡大斜視図である。
【図８】図８は本考案のペット用キャリーケースの側面図である。
【図９】図９は本考案のペット用キャリーケースのスライド式トレーを引き出した状態を示す斜視図である。
【図１０】図１０は本考案の第２の実施例のペット用キャリーケースの全体を示す斜視図である。
【図１１】図１１は本考案の第２の実施例のペット用キャリーケースのスライド式天板の前端部を示す斜視図である。
【図１２】図１２は本考案の第２の実施例のペット用キャリーケースのメインケースを示す斜視図である。
【図１３】図１３は本考案の第２の実施例のペット用キャリーケースのスライド底板を示す斜視図である。
【図１４】図１４は本考案の第２の実施例のペット用キャリーケースの壁の連結構造を示す斜視図である。
【図１５】図１５は本考案の第２の実施例のペット用キャリーケースのスライドストッパーを示す斜視図である。
【図１６】図１６は本考案の第２の実施例のペット用キャリーケースのスライドロックノブを示す斜視図である。
【図１７】図１７は本考案の第２の実施例のペット用キャリーケースのスライド天板、スライド底板及びスライド式トレーを取り外した状態を示す斜視図である。
【図１８】図１８は本考案の第２の実施例のペット用キャリーケースのスライド式トレーカバーを示す斜視図である。
【図１９】図１９は本考案の第２の実施例のペット用キャリーケースの底面を示す斜視図である。
【図２０】図２０は本考案の運搬用パーツを取り付けたペット用キャリーケースを示す斜視図である。
【図２１】図２１は本考案の運搬用パーツを取り付けたペット用キャリーケースを示す斜視図である。
【図２２】図２２は本考案のペット用キャリーケースの運搬用パーツを示す斜視図である。
【図２３】図２３は本考案のペット用キャリーケースの運搬用パーツを示す斜視図である。
【図２４】図２４は本考案のペット用キャリーケースの運搬用パーツを示す斜視図である。
【図２５】図２５は本考案のペット用キャリーケースの運搬用パーツを示す斜視図である。
【図２６】図２６は本考案のペット用キャリーケースの運搬用パーツを折り畳んだ状態を示す斜視図である。
【図２７】図２７は本考案のペット用キャリーケースの運搬用パーツを折り畳んだ状態を示す斜視図である。
【図２８】図２８は本考案の第３の実施例のペット用キャリーケースを示す斜視図である。
【図２９】図２９は本考案の第３の実施例のペット用キャリーケースのペット収容部を拡張した状態を示す斜視図である。
【図３０】図３０は本考案の第３の実施例のペット用キャリーケースの正面図である。
【図３１】図３１は本考案の第３の実施例のペット用キャリーケースのスライド式トレーを取り外した状態を示す斜視図である。
【図３２】図３２は本考案の第３の実施例のペット用キャリーケースのスライド式トレーを取り外した状態の正面及び底面を示す斜視図である。
【図３３】図３３は本考案の第３の実施例のペット用キャリーケースのスライド式ケースを取り外した状態を示す斜視図である。
【図３４】図３４は本考案の第３の実施例のペット用キャリーケースの断面図である。
【図３５】図３５は本考案の第４の実施例のペット用キャリーケースのペット収容部を拡張した状態を示す斜視図である。
【図３６】図３６は本考案の第４の実施例のペット用キャリーケースのスライド式ケースを取り外した状態を示す斜視図である。
【図３７】図３７は本考案の第４の実施例のペット用キャリーケースのペット収容部を縮小した状態を示す斜視図である。
【図３８】図３８は本考案の第４の実施例のペット用キャリーケースのスライド式扉が開いた状態を示す斜視図である。
【図３９】図３９は、本考案の第４の実施例のペット用キャリーケースのスライド式扉の一部拡大斜視図である。
【図４０】図４０は、本考案の第４の実施例のペット用キャリーケースのスライド底板を示す斜視図である。
【図４１】図４１は、本考案の第４の実施例のペット用キャリーケースを分解した状態を示す斜視図である。
【図４２】図４２は、本考案の第４の実施例のペット用キャリーケースのスライド機構を示す断面図である。
【図４３】図４３は本考案のペット用キャリーケースの各実施形態のペット収容部が拡張又は縮小した状態を簡略化して示す平面図である。
【考案を実施するための形態】
【００３２】
以下に、図面を用いて本考案の実施形態を説明する。
【００３３】
図１〜図９は、本考案を具体化したペット用キャリーケース１の第１の実施例を示しており、このペット用キャリーケース１は、床、壁、天井を構成する合成樹脂製のパネルなどからなる複数のパーツを組み付けることで堅牢に製造されている。
そして、特に本実施例のペット用キャリーケース１は、ペット収容部２を構成するメインケース１０と、当該メインケース１０に取り付けられたスライド式ケース２０とから構成されている。
【００３４】
前記メインケース１０は、その上部に横長のドーム状のトップカバー３を備えており、当該トップカバー３内にペット用品などを収納するために並設された左右一対の収納エリア４を備えている。前記トップカバー３は、その前面に前記収納エリア４を開閉するための２枚のシャッター５を備え、上部にペット用キャリーケース１を持ち運ぶのに便利な取手６を備えている。
【００３５】
前記収納エリア４の底板は、前記ペット収容部２の天井７となるように構成されており、さらに、当該天井７の下側には前記スライド式ケース２０の上面を開閉可能なスライド式天板８が左右一対のリブ（図示略）にて水平方向に移動可能に取り付けられている。
【００３６】
前記メインケース１０は、床１１と、３方を略コ字状に囲む壁１２〜１４とを備え、その平行に向き合った２つの側面を構成する壁１２，１４には、上下一対のスライド案内溝１５が水平方向に透設されている。
【００３７】
前記スライド式ケース２０は、前記メインケース１０の外側に嵌め込まれて重なるような状態で当該メインケース１０に取り付けられるものであり、床２１と、３方を略コ字状に囲む壁２２〜２４とを備えている。
【００３８】
前記スライド式ケース２０の正面を構成する壁２３は、前記ペット収容部２を開閉するための折り畳み式の正面扉９を備えており、この正面扉９は適宜施錠可能となっている。また、前記スライド式ケース２０の両側面を構成する壁２２，２４の内側には、図７に示すように前記スライド案内溝１５に沿って摺動するガイドローラ２５が取り付けられている。
【００３９】
前記スライド式ケース２０の両側面を構成する壁２２，２４は、その下端部に上下方向に移動操作可能なスライドロックノブ２６を備え、メインケース１０の下部に設けられた係止凹部１６に対するロックを解除することでスライド式ケース２０をメインケース１０から引き出してペット収容部２の形態を縮小状態から拡張状態に変化させることができるようになっている。
したがって、スライド式ケース２０が不用意にスライドしてメインケース１０から引き出されることを防ぐことができ、ペット用キャリーケース１の運搬の際の安全と便宜を図ることができる。
【００４０】
また、ペット用キャリーケース１のペット収容部２を区画する前記各壁１２，１３，１４，２２，２４、スライド式天板８及び正面扉９には、格子状又は足跡形の換気窓Ｗが外観デザインをも考慮して適宜設けられている。
【００４１】
なお、前記スライド式ケース２０の床２１は、トイレシートを交換する際の便宜を図るために、図９に示すようにスライド式ケース２０の底部から前方へ取り外すことができるスライド式トレー３０の一部として設けられている。
そして、前記スライド式トレー３０は、その前面中央部に左右方向に移動操作可能なトレー引き出し用ノブ３１を備え、スライド式ケース２０の前面中央下部に設けられた鍵穴２７に対するロックを解除することでスライド式トレー３０をスライド式ケース２０から引き出すことができるようになっている。
【００４２】
上記のように構成されたペット用キャリーケース１においては、スライド式ケース２０をメインケース１０から引き出すようにスライドさせることで、運搬時の便宜を図るため図２に示すように縮小状態となっていたペット収容部２を図１に示すような拡張状態（縮小状態の約１．７倍の広さ）とすることができる。
即ち、本件考案のペット用キャリーケース１においては、床１１，２１、壁１２，１３，１４，２２，２４、天井７及びスライド式天板８が重ねられた状態からほとんど重ねられていない状態へと伸縮変化することが可能であり、内部のペット収容部２の広さ（容積）を著しく拡大することができる。
【００４３】
したがって、本件考案のペット用キャリーケース１は、前記ペット収容部２内にペットを入れたままの状態であっても、前記ペット収容部２を適宜拡張したり縮小したりすることができ、ペットを運搬する前後などにおいてペットをペット用キャリーケース１内にそのまま長時間入れたままにする必要がある場合であっても、ペットに過度のストレスを与えることのないペット用ケージとしても用いることができるものである。
【００４４】
次に、上記実施例を一部変更した第２の実施例について図１０〜図１９により説明するが、前記実施例と同様の構成については、同一の符号を用いて説明する。
【００４５】
この実施例のペット用キャリーケース１０１は、前記実施例と同様に床、壁、天井を構成する合成樹脂製のパネルなどからなる複数のパーツを組み付けることで堅牢に製造されている。
そして、本実施例のペット用キャリーケース１０１は、ペット収容部２を構成するメインケース１０と、当該メインケース１０に取り付けられたスライド式ケース２０とから構成されている。
【００４６】
前記メインケース１０は、その上部に横長のドーム状のトップカバー３を備えており、当該トップカバー３内にペット用品などを収納するために並設された左右一対の収納エリア４を備えている。前記トップカバー３は、その前面に前記収納エリア４を開閉するための２枚のシャッター５を備え、上部にペット用キャリーケース１０１を持ち運ぶのに便利な取手６を備えている。
【００４７】
前記収納エリア４の底板は、前記ペット収容部２の天井７となるように構成されており、さらに、当該天井７の下側には前記スライド式ケース２０の上面を開閉可能なスライド式天板８が左右一対のリブ（図示略）にて水平方向に移動可能に取り付けられている。
このスライド式天板８は、その前端部に凸部８ａを備えており、当該凸部８ａが前記スライド式ケース２０の正面を構成する壁２３に設けられた長穴２３ａと係合することで、スライド式天板８がスライド式ケース２０と同時に前後方向にスライドするようになっている（図１１参照）。
【００４８】
前記メインケース１０は、床１１と、３方を略コ字状に囲む壁１２〜１４とを備え、その平行に向き合った２つの側面を構成する壁１２，１４には、上下一対のスライド案内溝１５が水平方向に透設されている。
【００４９】
前記スライド式ケース２０は、前記メインケース１０の外側に嵌め込まれて重なるような状態で当該メインケース１０に取り付けられるものであり、床として機能するスライド底板１２１と、３方を略コ字状に囲む壁２２〜２４とを備えている。
このスライド底板１２１は、その前端部がスライド式ケース２０の前端部内側に取り付けされており、スライド式ケース２０と同時にスライドすることで、メインケース１０の底部に設けられた凹部１７に嵌め込まれた状態で水平方向に案内されるようになっている（図１０及び図１２参照）。
【００５０】
前記スライド式ケース２０の正面を構成する壁２３は、前記ペット収容部２を開閉するための折り畳み式の正面扉９を備えており、この正面扉９は適宜施錠可能となっている。
この壁２３は、その下端部に長穴２３ｂを備えており、当該長穴２３ｂに前記スライド底板１２１に設けられた爪部１２１ａが嵌め込まれることで、壁２３がスライド底板１２１と連結されている（図１３参照）。
【００５１】
また、前記スライド式ケース２０の両側面を構成する壁２２，２４は、その前端部に十字形の凸部２４ａを備えており、当該凸部２４ａが壁２３の側端部に設けた十字形の凹部２３ｃに嵌め込まれることで、壁２２，２４が壁２３と連結されている（図１４参照）。
さらに、前記壁２２，２４の内側には、前記スライド案内溝１５に沿って摺動するガイドローラ２５が取り付けられている（第１の実施例の図７参照）。
【００５２】
そして、スライド案内溝１５の前端部を開閉するスライドストッパー１５ａを上にスライドさせることにより、ガイドローラ２５がスライド案内溝１５の前端部から抜け出すことが可能となっている（図１５参照）。したがって、スライド式ケース２０をメインケース１０から完全に分離できるようになっている。なお、かかる構成は、前記第１の実施例のペット用キャリーケース１においても同様である。
【００５３】
前記スライド式ケース２０の両側面を構成する壁２２，２４は、その下端部に上下方向に移動操作可能なスライドロックノブ２６を備え、当該スライドロックノブ２６を引き上げてメインケース１０の下部に設けられた係止凹部１６に対するロックを解除することでスライド式ケース２０をメインケース１０から引き出してペット収容部２の形態を縮小状態から拡張状態に変化させることができるようになっている。
【００５４】
なお、スライド式ケース２０を最大限に引き出した位置にて前記スライドロックノブ２６によりスライド式ケース２０のスライドをロックできるようになっている（図１６参照）。
したがって、スライド式ケース２０が不用意にスライドしてメインケース１０から引き出されることを防ぐことができ、ペット用キャリーケース１０１の運搬の際の安全と便宜を図ることができる。
【００５５】
また、ペット用キャリーケース１０１のペット収容部２を区画する前記各壁１２，１４，２２，２４、スライド式天板８及び正面扉９には、格子状又は足跡形の換気窓Ｗが外観デザインをも考慮して適宜設けられている。
【００５６】
なお、トイレシートを交換する際の便宜を図るために、スライド式ケース２０の底部には、スライド式ケース２０の底部から前方へ取り外すことができるスライド式トレー３０が取り付けられている。さらに前記スライド式トレー３０の上面には、スライド式トレーカバー３２が取り付けられている。
そして、前記スライド式トレーカバー３２は、その前面中央部に爪部３０ａと位置決め穴３０ｂとを備え、スライド式トレー３０の前面に対する固定ができるようになっている（図１８参照）。
【００５７】
上記のように構成されたペット用キャリーケース１０１においては、スライド式ケース２０をメインケース１０から引き出すようにスライドさせることで、運搬時の便宜を図るため図１９に示すように縮小状態となっていたペット収容部２を図１０に示すような拡張状態（縮小状態の約１．７倍の広さ）とすることができる。
即ち、本実施例のペット用キャリーケース１０１においても、床１１，スライド底板１２１、スライド式トレー３０、壁１２，１４，２２，２４、天井７及びスライド式天板８が重ねられた状態からほとんど重ねられていない状態へと伸縮変化することが可能であり、内部のペット収容部２の広さ（容積）を著しく拡大することができる。
【００５８】
したがって、本件考案のペット用キャリーケース１０１は、前記ペット収容部２内にペットを入れたままの状態であっても、前記ペット収容部２を適宜拡張したり縮小したりすることができ、ペットを運搬する前後などにおいてペットをペット用キャリーケース１０１内にそのまま長時間入れたままにする必要がある場合であっても、ペットに過度のストレスを与えることのないペット用ケージとしても用いることができるものである。
【００５９】
なお、図１９に示すように、ペット用キャリーケース１０１の底面には、滑り止めの樹脂製又はゴム製のパッドＰを複数個取り付けており、移動の際の振動・異音の発生や無用な揺れ動きを防止することができるようになっている。
【００６０】
次に、上記実施例のペット用キャリーケース１０１において、床下のキャスターを備えた底部枠体と、上下方向に伸縮する取手とを一体化した運搬用パーツ４０を着脱可能とした実施例について説明する。
なお、本明細書中において「上下方向に伸縮する取手」とは、ペット用キャリーケースの移動や持ち運びの便宜を図るために伸縮する取手を意味しており、鉛直方向のみならず、斜めの上下方向に伸縮する取手をも含む概念である。
【００６１】
図２０〜図２７に示すように、運搬用パーツ４０は、ペット用キャリーケース１０１を上から嵌め込むように載置することができる略「日」の字形状の底部枠体４１と、当該底部枠体４１の底面四隅（床下）に旋回及び転動可能に取り付けられたキャスター４２を備えている。前記底部枠体４１の一側縁には、背部枠体４３が蝶番部４４を介して折り畳み回動可能に取り付けられており、当該背部枠体４３の背面には伸縮杆収納部４５が固定されている。
【００６２】
前記伸縮杆収納部４５には、取手４６が上端部に固定された伸縮杆４７が収納できるようになっている。よって、前記伸縮杆収納部４５から伸縮杆４７を出し入れすることで、取手４６を上下方向に伸縮させることができる。
【００６３】
前記底部枠体４１及び前記背部枠体４３には、バックル４８を用いて略「ト」の字形状の２本のベルト４９を「Ｈ」の字形状に組み合わせるようにして取り付けることができるようになっている。即ち、これらのベルト４９を用いて締め付けることで、底部枠体４１上に載置されたペット用キャリーケース１０１と運搬用パーツ４０とを着脱可能としている。
よって、このペット用キャリーケース１０１にペットを収納したままであっても、キャスター４２及び伸縮する取手４６を使用してペット用キャリーケース１０１の移動や持ち運びが容易となる。
【００６４】
さらに、図２６及び図２７に示すように、運搬用パーツ４０は、その前記底部枠体４１及び前記背部枠体４３が蝶番部４４を介して連結されているため、取手４６が固定された背部枠体を４３を折り畳むようにしてコンパクトな形態として保管することができる。また、蝶番部４４にはロック装置４４ａが取り付けられており、前記背部枠体４３を直立させた状態又は折り畳んだ状態にてそれぞれロックすることができるようになっている。
【００６５】
なお、この実施例においては、ペット用キャリーケースの本体に着脱可能な運搬用パーツ４０にキャスター４２と伸縮可能な取手４６を設けたが、メインケース１０の床下（底面）に直接キャスターを取り付けて実施したり、メインケース１０の背面を構成している壁１３に直接上下方向に伸縮する取手を取り付けて実施してもよい。その場合、キャスターと伸縮する取手をメインケース１０から取り外し可能に実施することも、取り外し不能に実施することも可能である。また、旋回及び転動をロックできるキャスターを用いてペット用キャリーケースの無用の移動を防ぐことができるようにして実施してもよい。
【００６６】
次に、上記各実施例を一部変更した第３の実施例について図２８〜図３４により説明するが、前記実施例と同様の構成については、同一の符号を用いて説明する。
【００６７】
この実施例のペット用キャリーケース２０１は、前記実施例と同様に床、壁、天井を構成する合成樹脂製のパネルなどからなる複数のパーツを組み付けることで堅牢に製造されている。
そして、本実施例のペット用キャリーケース２０１は、ペット収容部２を構成するメインケース１０と、当該メインケース１０に取り付けられたスライド式ケース２０とから構成されている。
【００６８】
前記メインケース１０は、その上部に横長のドーム状のトップカバー３を備えており、当該トップカバー３内にペット用品などを収納するために並設された左右一対の収納エリア４を備えている。前記トップカバー３は、その前面に前記収納エリア４を開閉するための２枚のシャッター５を備え、上部にペット用キャリーケース２０１を持ち運ぶのに便利な取手６を備えている。
【００６９】
前記収納エリア４の底板は、前記ペット収容部２の天井７となるように構成されており、さらに、当該天井７の下側には前記スライド式ケース２０の上面を開閉可能なスライド式天板８が左右一対のリブＲにて水平方向に移動可能に取り付けられている。
このスライド式天板８は、その前端部に凸部８ａを備えており、当該凸部８ａが前記スライド式ケース２０の正面を構成する壁２３に設けられた長穴２３ａと係合することで、スライド式天板８がスライド式ケース２０と同時に前後方向にスライドするようになっている（図１１参照）。
【００７０】
前記メインケース１０は、床１１と、３方を略コ字状に囲む壁１２〜１４とを備え、その平行に向き合った２つの側面を構成する壁１２，１４には、スライド案内部２１５が水平方向に突設されている。
【００７１】
前記スライド式ケース２０は、前記メインケース１０の外側に嵌め込まれて重なるような状態で当該メインケース１０に取り付けられるものであり、床として機能するスライド底板２２１と、３方を略コ字状に囲む壁２２〜２４とを備えている。
このスライド底板２２１は、その前端部がスライド式ケース２０の前端部内側に取り付けされており、スライド式ケース２０と同時にスライドすることで、メインケース１０の底部に設けられた凹部２１７に嵌め込まれた状態で水平方向に案内されるようになっている（図３２及び図３３参照）。
【００７２】
前記スライド式ケース２０の正面を構成する壁２３は、前記ペット収容部２を開閉するための折り畳み式の正面扉９を備えており、この正面扉９は適宜施錠可能となっている。
さらに、前記壁２２，２４は、前記スライド案内部２１５に沿って摺動するようになっている。
【００７３】
前記スライド式ケース２０の両側面を構成する壁２２，２４は、その中段部に上下方向に移動操作可能なスライドロックノブ２２６を備え、当該スライドロックノブ２２６を引き上げてスライド式ケース２０をメインケース１０から引き出して特定の位置までスライドさせ、ペット収容部２の形態を縮小状態から拡張状態に変化させることができるようになっている。
【００７４】
なお、スライド式ケース２０を最大限に引き出した位置にて前記スライドロックノブ２２６によりスライド式ケース２０のスライドをロックできるようになっている（図２９参照）。
したがって、スライド式ケース２０が不用意にスライドしてメインケース１０から引き出されることを防ぐことができ、ペット用キャリーケース２０１の運搬の際の安全と便宜を図ることができる。さらに、スライドロックノブ２２６を一番上まで上げると、スライド式ケース２０をメインケース１０から取り外すことができるようになっている。
【００７５】
また、ペット用キャリーケース２０１のペット収容部２を区画する前記各壁１２，１４，２２，２４、スライド式天板８及び正面扉９には、格子状又は足跡形の換気窓Ｗが外観デザインをも考慮して適宜設けられている。
【００７６】
なお、トイレシートを交換する際の便宜を図るために、スライド式ケース２０の底部に取り付けられる前記スライド底板２２１は、スライド式ケース２０の底部から前方へ取り外すことができる前記実施例のスライド式トレー３０として機能する。そして、このスライド式トレー３０（スライド底板２２１）の上面には、スライド式トレーカバー３２が取り付けられている。
前記スライド式トレー３０は、その前面左右両端部ロックレバー３３を備えており、このロックレバー３３を下に下げることでスライド式ケース２０からスライド式トレー３０を取り外すことができるようになっている（図３１参照）。
【００７７】
上記のように構成されたペット用キャリーケース２０１においては、スライド式ケース２０をメインケース１０から引き出すようにスライドさせることで、運搬時の便宜を図るため図２８に示すように縮小状態となっていたペット収容部２を図２９に示すような拡張状態（縮小状態の約１．７倍の広さ）とすることができる。
即ち、本実施例のペット用キャリーケース２０１においても、床１１，スライド底板２２１、スライド式トレー３０、壁１２，１４，２２，２４、天井７及びスライド式天板８が重ねられた状態からほとんど重ねられていない状態へと伸縮変化することが可能であり、内部のペット収容部２の広さ（容積）を著しく拡大することができる。
【００７８】
したがって、本件考案のペット用キャリーケース２０１は、前記ペット収容部２内にペットを入れたままの状態であっても、前記ペット収容部２を適宜拡張したり縮小したりすることができ、ペットを運搬する前後などにおいてペットをペット用キャリーケース２０１内にそのまま長時間入れたままにする必要がある場合であっても、ペットに過度のストレスを与えることのないペット用ケージとしても用いることができるものである。
【００７９】
さらに、上記各実施例を一部変更した第４の実施例について図３５〜図４２により説明するが、前記実施例と同様の構成については、同一の符号を用いて説明する。
【００８０】
この実施例のペット用キャリーケース３０１は、前記実施例と同様に床、壁、天井を構成する合成樹脂製のパネルなどからなる複数のパーツを組み付けることで堅牢に製造されている。
そして、本実施例のペット用キャリーケース３０１は、ペット収容部２を構成するメインケース１０と、当該メインケース１０に取り付けられたスライド式ケース２０とから構成されている。
【００８１】
前記メインケース１０は、その上部に横長のドーム状のトップカバー３を備えており、当該トップカバー３内にペット用品などを収納するために並設された左右一対の収納エリア４を備えている。前記トップカバー３は、その前面に前記収納エリア４を開閉するための２枚のシャッター５を備え、上部にペット用キャリーケース３０１を持ち運ぶのに便利な取手６を備えている。
【００８２】
前記収納エリア４の底板は、前記ペット収容部２の天井となるように構成されており、さらに、当該天井の下側には前記スライド式ケース２０の上面を開閉可能なスライド式天板８が左右一対のリブにて水平方向に移動可能に取り付けられている。
このスライド式天板８は、その前端部に凸部８ａを備えており、当該凸部８ａが前記スライド式ケース２０の正面を構成する壁２３に設けられた長穴２３ａと係合することで、スライド式天板８がスライド式ケース２０と同時に前後方向にスライドするようになっている（図１１参照）。
【００８３】
前記メインケース１０は、床１１と、３方を略コ字状に囲む壁１２〜１４とを備え、その平行に向き合った２つの側面を構成する壁１２，１４には、スライド案内部３１５ａ，３１５ｂ，３１５ｃが水平方向に突設されている。このスライド案内部３１５ａ，３１５ｂ，３１５ｃに対応するスライド式ケース２０の位置にスライド挿入部３３０ａ，３３０ｂ，３３０ｃが設けられている。
【００８４】
前記スライド式ケース２０は、前記メインケース１０の外側に嵌め込まれて重なるような状態で当該メインケース１０に取り付けられるものであり、床として機能するスライド底板３２１と、３方を略コ字状に囲む壁２２〜２４とを備えている。
このスライド底板３２１は、その前端部がスライド式ケース２０の前端部内側に取り付けされており、スライド式ケース２０と同時にスライドすることで、メインケース１０の底部に設けられた凹部３１７に嵌め込まれた状態で水平方向に案内されるようになっている。
【００８５】
前記スライド式ケース２０の正面を構成する壁２３は、前記ペット収容部２を開閉するためのスライド式の正面扉３０９を備えており、この正面扉３０９は適宜施錠可能となっている。また、図３９に示すように、スライド式の正面扉３０９は、部分扉３０９ｃが一番手前に位置し、固定されており、中間に位置する部分扉３０９ｂと、一番後方に位置する部分扉３０９ａはスライド式となっていて、部分扉３０９ａに設けられた取っ手を持って左右にスライドさせることによって、部分扉３０９ａがスライドし、この部分扉３０９ａの動きに連動して、部分扉３０９ｂがスライドする構造となっている。
さらに、前記壁２２，２４は、前記スライド挿入部３３０ａ，３３０ｂ，３３０ｃによって、前記スライド案内部３１５ａ，３１５ｂ，３１５ｃに沿って摺動するようになっている。
【００８６】
前記スライド式ケース２０の両側面を構成する壁２２，２４は、その中段部に押しボタン式のスライドロックボタン３２６を備えている。このスライドロックボタン３２６を押すことによって、スライド案内部３１５ａとロック片３２６ａとのロック状態が解除され、スライド式ケース２０をメインケース１０から引き出すことができる構造となっている。そして、特定の位置に到達すると再びスライドがロックされ、ペット収容部２の形態を縮小状態から拡張状態に変化させることができるようになっている。
【００８７】
なお、スライド式ケース２０を最大限に引き出した位置にて更に前記スライドロックボタン３２６を押してスライド式ケース２０を引き出すことによって、スライド式ケース２０と、メインケース１０とを分離することができる構造となっている。
したがって、スライド式ケース２０が不用意にスライドしてメインケース１０から引き出されることを防ぐことができ、ペット用キャリーケース３０１の運搬の際の安全と便宜を図ることができる。さらに、スライドロックボタン３２６によって、スライド式ケース２０をメインケース１０から取り外すことができるようになっている。
【００８８】
また、ペット用キャリーケース２０１のペット収容部２を区画する前記各壁１２，１４，２２，２４、スライド式天板８及び正面扉３０９には、格子状又は足跡形の換気窓が外観デザインをも考慮して適宜設けられている。
【００８９】
なお、トイレシートを交換する際の便宜を図るために、スライド式ケース２０の底部に取り付けられる前記スライド底板３２１は、スライド式ケース２０の底部から前方へ取り外すことができる前記実施例のスライド式トレーとして機能する。そして、このスライド式トレーの上面には、回動軸３２２ｂを支点にして回動する開閉板３２２が取り付けられている。前記開閉板３２２には、係合片３２２ａを備えており、この係合片３２２ａが下板３２３に備えられた係合溝３２３ａに係合することによって、開閉板３２２が下板３２３に固定れる構造となっている。さらに、下板３２３には、ペットの尿を吸収し、脱臭することができるマットを収容するマット収容部３２３ｂが形成されている（図４０及び図４１参照）。
【００９０】
上記のように構成されたペット用キャリーケース３０１においては、スライド式ケース２０をメインケース１０から引き出すようにスライドさせることで、運搬時の便宜を図るため図に示すように縮小状態となっていたペット収容部２を図３５に示すような拡張状態（縮小状態の約１．７倍の広さ）とすることができる。即ち、本実施例のペット用キャリーケース３０１においても、床１１，スライド底板３２１、スライド式トレー、壁１２，１４，２２，２４、天井７及びスライド式天板８が重ねられた状態からほとんど重ねられていない状態へと伸縮変化することが可能であり、内部のペット収容部２の広さ（容積）を著しく拡大することができる。
【００９１】
したがって、本件考案のペット用キャリーケース３０１は、前記ペット収容部２内にペットを入れたままの状態であっても、前記ペット収容部２を適宜拡張したり縮小したりすることができ、ペットを運搬する前後などにおいてペットをペット用キャリーケース３０１内にそのまま長時間入れたままにする必要がある場合であっても、ペットに過度のストレスを与えることのないペット用ケージとしても用いることができるものである。
【００９２】
本考案は上記各実施例に限定されるものではなく、本考案の趣旨を逸脱しない範囲で各部の形状、大きさ、個数又は配置などを適宜変更して実施することも可能である。
例えば、壁２２〜２４を乗り越えることのない小さいペットを入れるペット用キャリーケースにおいては、スライド式天板８を省略して実施することも可能である。また、天井７を省略し、収納エリア４を設けないで実施することも可能である。
あるいは、天井にペット収容部を開閉するための扉を設けて実施してもよい。
【００９３】
さらに、上記にて説明した実施例のペット用キャリーケース１，１０１，２０１，３０１は、メインケース１０の外側にスライド式ケース２０が配置されて重ねられるように構成されているが、メインケースの内側にスライド式ケースが引出しのようにスライド可能に収納されることで床及び壁などが伸縮可能となるようにして実施してもよい。
【００９４】
また、図８に示すように、ペット用キャリーケース１，１０１，２０１，３０１のトップカバー３に設けた前記取手６に代えて、又は、取手６の他にペット用キャリーケース１を持ち運ぶ際の便宜を図るために、トップカバー３の両側面に透孔又は突起からなる指掛部６ａを設けて実施したり、肩掛けベルトを取り付け可能なリング６ｂを設けて実施してもよい。
【００９５】
さらに、上記にて説明した実施例のペット用キャリーケース１は、図４３（ａ）に示すような平面視長方形状のメインケース１０とスライド式ケース２０を用いていたが、図４３（ｂ）に示すペット用キャリーケース１ａのように、平面視長方形状のメインケース１０ａと平面視扇形のスライド式ケース２０ａを用いて本考案を具体化して実施してもよい。
【００９６】
この場合、メインケース１０ａとスライド式ケース２０ａの床１１ａ，２１ａの一部及び一方の側壁１２ａ，２２ａのみを重ねられた状態としてそれらを伸縮可能とする。そして、重ねられた側壁１２ａ，２２ａを弧状に湾曲形成し、スライド式ケース２０ａの前面側の壁２３ａの一端部をメインケース１０ａの前端部と回動可能に連結することで、ペット収容部２ａを拡張したり縮小したりできるようにすればよい。
【００９７】
また、図４３（ｃ）に示すペット用キャリーケース１ｂのように、床１１ｂ及び左右の側壁１２ｂ，１４ｂを伸縮可能な素材（例えば、布、ネットなど）を用いて構成することで、床１１ｂ及び左右の側壁１２ｂ，１４ｂを伸縮させてペット収容部２ｂを拡張したり縮小したりできるようにして実施してもよい。
【産業上の利用可能性】
【００９８】
以上のように、本考案のペット用キャリーケースは、ペットを入れて運搬する際の利便性に優れるだけでなく、広いペット収容部を提供できるペット用ケージのように形態を変化させることによりペットにストレスを与えることのないペット用キャリーケースとして利用される。
【符号の説明】
【００９９】
１，１ａ，１ｂ    ペット用キャリーケース
２，２ａ，２ｂ    ペット収容部
３          トップカバー
４          収納エリア
５          シャッター
６          取手
６ａ        指掛部
６ｂ        リング
７          天井
８          スライド式天板（天井）
８ａ        凸部
９          正面扉
１０          メインケース
１１，１１ａ，１１ｂ  床
１２，１２ａ，１２ｂ  壁
１３，１４，１４ｂ    壁
１５          スライド案内溝
１５ａ        スライドストッパー
１６          係止凹部
１７          凹部
２０，２０ａ  スライド式ケース
２１          床
２２〜２４    壁
２３ａ        長穴
２３ｂ        長穴
２３ｃ        凹部
２４ａ        凸部
２５          ガイドローラ
２６          スライドロックノブ
２７          鍵穴
３０          スライド式トレー
３０ａ        爪部
３０ｂ        位置決め穴
３１          トレー引き出し用ノブ
３２          スライド式トレーカバー
３３          ロックレバー
４０          運搬用パーツ
４１          底部枠体
４２          キャスター
４３          背部枠体
４４          蝶番部
４４ａ        ロック装置
４５          伸縮杆収納部
４６          取手
４７          伸縮杆
４８          バックル
４９          ベルト
１０１        ペット用キャリーケース（第２の実施例）
１２１        スライド底板
２０１        ペット用キャリーケース（第３の実施例）
２１５        スライド案内部
２１７        凹部
２２１        スライド底板（スライド式トレー）
２２６        スライドロックノブ
３０１        ペット用キャリーケース（第４の実施例）
３１５ａ，３１５ｂ，３１５ｃ  スライド案内部
３２２ａ      係合片
３２２ｂ      回動軸
３２３ｂ      マット収容部
３２６        スライドロックボタン
３２６ａ      ロック片
３３０ａ，３３０ｂ，３３０ｃ  スライド挿入部
Ｒ          リブ
Ｐ          パッド
Ｗ          換気窓
【図１】
0003168151.tif 000003
【図２】
0003168151.tif 000004
【図３】
0003168151.tif 000005
【図４】
0003168151.tif 000006
【図５】
0003168151.tif 000007
【図６】
0003168151.tif 000008
【図７】
0003168151.tif 000009
【図８】
0003168151.tif 000010
【図９】
0003168151.tif 000011
【図１０】
0003168151.tif 000012
【図１１】
0003168151.tif 000013
【図１２】
0003168151.tif 000014
【図１３】
0003168151.tif 000015
【図１４】
0003168151.tif 000016
【図１５】
0003168151.tif 000017
【図１６】
0003168151.tif 000018
【図１７】
0003168151.tif 000019
【図１８】
0003168151.tif 000020
【図１９】
0003168151.tif 000021
【図２０】
0003168151.tif 000022
【図２１】
0003168151.tif 000023
【図２２】
0003168151.tif 000024
【図２３】
0003168151.tif 000025
【図２４】
0003168151.tif 000026
【図２５】
0003168151.tif 000027
【図２６】
0003168151.tif 000028
【図２７】
0003168151.tif 000029
【図２８】
0003168151.tif 000030
【図２９】
0003168151.tif 000031
【図３０】
0003168151.tif 000032
【図３１】
0003168151.tif 000033
【図３２】
0003168151.tif 000034
【図３３】
0003168151.tif 000035
【図３４】
0003168151.tif 000036
【図３５】
0003168151.tif 000037
【図３６】
0003168151.tif 000038
【図３７】
0003168151.tif 000039
【図３８】
0003168151.tif 000040
【図３９】
0003168151.tif 000041
【図４０】
0003168151.tif 000042
【図４１】
0003168151.tif 000043
【図４２】
0003168151.tif 000044
【図４３】
0003168151.tif 000045